(57)【要約】【課題】ランプの装着感がよく、確実にランプを取り付けることができ、且つ安価なソケットを提供することを目的とする。【解決手段】ピン受け部６４は、回転子５１の外周面と対向して配置された平板面を有し、回転子５１は、給電ピン２６を着脱可能とする給電ピン挿入部５４を有し、給電ピン２６が着脱可能な第１の位置と、給電ピン２６とピン受け部６４が接触して通電する第２の位置との間で回動可能に構成され、回転子５１の外周面には、第１の位置と第２の位置のときに一対のピン受け部６４の平板面と平行位置となる二対の平面部５５ａ、５５ａ’、５５ｂ、５５ｂ’を形成したものである。【選択図】図７
2015011892.tif 000002
【特許請求の範囲】
【請求項１】
直管型ランプに電源を供給する一対の導電接触片のピン受け部と、前記直管型ランプの端部に配置された給電ピンを保持する円筒形状の回転子と、を備えたソケットであって、
前記ピン受け部は、前記回転子の外周面と対向して配置された平板面を有し、
前記回転子は、前記給電ピンを着脱可能とする給電ピン挿入部を有し、前記給電ピンが着脱可能な第１の位置と、前記給電ピンと前記ピン受け部が接触して通電する第２の位置との間で回動可能に構成され、
前記回転子の外周面には、前記第１の位置と前記第２の位置のときに前記一対のピン受け部の前記平板面と平行位置となる二対の平面部を形成したことを特徴とするソケット。
【請求項２】
前記給電ピン挿入部は、前記回転子の円筒を直径方向に二分する凹形状として形成され、前記二対の平面部の一方は、前記回転子の外周面における前記給電ピン挿入部の周縁部に設けられた第１平面部であり、前記二対の平面部の他方は、前記第１平面部の平面に対して直交する平面を持つ第２平面部であることを特徴とする請求項１に記載のソケット。
【請求項３】
前記第１の位置のときには、前記第２平面部と前記ピン受け部の前記平板面が平行位置となり、前記第２の位置のときには、前記第１平面部と前記ピン受け部の前記平板面が平行位置となることを特徴とする請求項２に記載のソケット。
【請求項４】
前記平面部の前記回転子における外周上の端部と前記回転子の円筒の中心軸からの距離は、前記回転子の円筒の外周半径の長さより長いことを特徴とする請求項１〜３のいずれか１項に記載のソケット。
【請求項５】
前記給電ピンは、前記直管型ランプの軸に平行な軸部と、前記軸部の先端から前記直管型ランプの軸の外方に延設された抜け止め部を有し、
前記ピン受け部には、前記抜け止め部が挿通するスリットが開口することを特徴とする請求項１〜４のいずれか１項に記載のソケット。
【請求項６】
前記一対の導電接触片は同一形状であることを特徴とする請求項１〜５のいずれか１項に記載のソケット。
【請求項７】
前記ソケットには、前記回転子が第１の位置にあるときに前記給電ピン挿入部に連通するピン挿入孔が設けられ、
前記第２平面部の表面には、前記回転子が第２の位置にあるときに前記ピン挿入孔から目視が可能なマーカーが設けられていることを特徴とする請求項２または３に記載のソケット。
【請求項８】
請求項１〜７のいずれか１項に記載のソケットを備えたことを特徴とする照明器具。
【発明の詳細な説明】
【技術分野】
【０００１】
本発明は、直管形ランプを天井等に固定するソケット、及び、そのソケットを備えた照明器具に関するものである。
【背景技術】
【０００２】
直管形ランプを固定する際に、ランプ端部の給電ピンを挿入して回転させる回転子を備えたソケットを使用することが知られている。このようなソケットは、回転子にランプの給電ピンを挿入して装着した位置から一般的には９０°程度回転子を回転させた位置でクリック感を使用者に与え、ランプが固定されたことを使用者に認識させる構成となっている。また、ランプを脱着する際にもランプを固定した位置から９０°程度回転子を逆回転させた位置で使用者にクリック感を与え、ランプが脱着可能になったことを使用者に認識させる構成となっている。
従来のソケットは、回転子に設けた凸部がソケット側の導電接触片の凹部に回転中に嵌ることでクリック感を出していた（例えば特許文献１参照）。
【先行技術文献】
【特許文献】
【０００３】
【特許文献１】特許第４０２４４６５号公報
【発明の概要】
【発明が解決しようとする課題】
【０００４】
しかしながら、このようなソケットの導電接触片の凹部は、板状の金具から凹部を加工するため、寸法を出し難く、また金型費が高くなる。また、回転子の凸部が導電接触片と接触するため、樹脂で形成された回転子の凸部が削れ、ランプの装着感を得難くなる場合があった。
また、凹部は凸部の幅より長いため、回転子のピン挿入部と本体のピン挿入孔が同一直線状になり難く、ランプを回転子に挿入しづらいという問題があった。
【０００５】
本発明は、上記のような問題を解決するためになされたものであり、直管形ランプの装着感がよく、確実に直管形ランプを取り付けることができ、且つ安価なソケット、及び、そのソケットを備えた照明器具を提供することを目的とする。
【課題を解決するための手段】
【０００６】
本発明に係るソケットは、直管形ランプに電源を供給する一対の導電接触片のピン受け部と、前記直管形ランプの端部に配置された給電ピンを保持する円筒形状の回転子と、を備えたソケットであって、前記ピン受け部は、前記回転子の外周面と対向して配置された平板面を有し、前記回転子は、前記給電ピンを着脱可能とする給電ピン挿入部を有し、前記給電ピンが着脱可能な第１の位置と、前記給電ピンと前記ピン受け部が接触して通電する第２の位置との間で回動可能に構成され、前記回転子の外周面には、前記第１の位置と前記第２の位置のときに前記一対のピン受け部の前記平板面と平行位置となる二対の平面部を形成したものである。
【発明の効果】
【０００７】
本発明に係るソケットによれば、直管形ランプの固定時や着脱時に回転子の動きが感覚的によくわかるため、確実にランプを通電状態に固定したり、着脱することができる。また、単純な構造のため安価なソケット、及び、そのソケットを備えた照明器具を提供することができる。
【図面の簡単な説明】
【０００８】
【図１】実施の形態１に係る照明器具１０の斜視図である。
【図２】実施の形態１で用いる直管ＬＥＤランプ２０の一例を示す図であり、（ａ）は斜視図、（ｂ）は第二口金斜視図である。
【図３】実施の形態１に係る第二ソケット３０であり、（ａ）は正面斜視図、（ｂ）は背面斜視図である。
【図４】実施の形態１に係る第二ソケット３０の分解斜視図である。
【図５】実施の形態１に係る回転子５１の図であり、（ａ）は斜視図、（ｂ）は後面図である。
【図６】実施の形態１に係る導電接触片６１の斜視図である。
【図７】実施の形態１に係る回転子５１と導電接触片６１の接続状態を示した図であり、（ａ）はランプ挿入位置（０°）、（ｂ）はランプ回転直後の位置（２０°）、（ｃ）はランプを４５°回転させた位置（４５°）、（ｄ）はランプ通電位置（９０°）の状態を示した図である。
【図８】実施の形態２に係る回転子５１の斜視図である。
【図９】実施の形態２に係るソケット３０の回転子５１を通電位置にしたときの上面図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態１．
図１は、本実施の形態に係る照明器具１０の斜視図である。図２は、直管ＬＥＤランプ２０の一例を示す図である。
図１及び図２を用いて、本実施の形態に係る照明器具１０及び直管ＬＥＤランプ２０の全体構成について説明する。
【００１１】
図１に示すように、照明器具１０は、器具本体１１と、反射板１２とを備える。照明器具１０は、器具本体１１の長手方向の一端側に第一ソケット７０を備え、他端側に第二ソケット３０を備えることで、直管ＬＥＤランプ２０を装着することができる。照明器具１０は、器具本体１１に取り付けられた直管ＬＥＤランプ２０を点灯させる点灯装置（図示せず）を備える。反射板１２は、直管ＬＥＤランプ２０から発せられる光を配光する機能を有する。
【００１２】
図２（ａ）に示すように、直管ＬＥＤランプ２０は外郭２３の端部の一方に第一口金２１を、他方に第二口金２２を備える。
【００１３】
第二口金２２は一対の略Ｌ字型形状の給電ピン２６を備える。給電ピン２６は、図２（ｂ）に示すように、第二口金２２の凸部２５から直管ＬＥＤランプ２０の軸方向に延びた軸部２７と、軸部２７の先端から直管ＬＥＤランプの軸の外方に延びる抜け止め部２８を備える。
【００１４】
図３は、実施の形態１に係る第二ソケット３０であり、図３（ａ）は正面斜視図、図３（ｂ）は背面斜視図である。図４は、実施の形態１に係る第二ソケット３０の分解斜視図である。図５は、実施の形態１に係る回転子５１の図であり、図５（ａ）は斜視図、図５（ｂ）は後面図である。図６は、実施の形態１に係る導電接触片６１の斜視図である。図３〜図６を用いて、第二ソケット３０の構造を説明する。
【００１５】
第二ソケット３０は、直管ＬＥＤランプ２０の第二口金２２を装着できるソケットである。また、第二ソケット３０は、本体３１とカバー４１で形成された略箱体である。
【００１６】
本体３１は、熱可塑性樹脂の絶縁材、例えば、ポリカーボネイドやポリブチレンテレフタレートなどで形成され、第二口金２２と当接する面（以下、前面と定義する）に、開口部３２を有し、開口部３２の周縁で前面から後面へと延びるピン挿入孔３３を備える。
【００１７】
回転子５１は、熱可塑性樹脂の絶縁材、例えば、ポリカーボネイドやポリブチレンテレフタレートなどで形成される。回転子５１は、開口部３２より大きい略円板状の当接部５２と、この当接部５２から立設する円筒部５３とを有している。円筒部５３には、当接部５２から円筒部５３の長さ方向の途中まで、回転子５１を円筒部５３の直径を通る直線で二分するように切り欠く、直方体凹形状のピン挿入部５４が形成される。
【００１８】
直方体凹形状のピン挿入部５４は、回転子５１の円筒を直径方向に貫通する。円筒部５３の外周のピン挿入部５４が貫通する周縁部５４ａには、一対の第１平面部５５ａ、５５ａ’が形成される。また、ピン挿入部５４の長手方向と直交する円筒部５３の外周には、第１平面部５５ａ、５５ａ’と直交する平面を持つ一対の第２平面部５５ｂ、５５ｂ’が形成される。
【００１９】
回転子５１の対向する第１平面部５５ａと第１平面部５５ａ’の離隔距離、及び、第２平面部５５ｂと第２平面部５５ｂ’の離隔距離は、後述する一対の導電接触片６１のピン受け部６４の離隔寸法Ｌ以下に設定してある。
また、円筒部５３の中心軸から、第１平面部５５ａ、５５ａ’、及び、第２平面部５５ｂ、５５ｂ’の円筒部５３の外周における端部５６ａ、５６ａ’、５６ｂ、５６ｂ’までの距離は、円筒部５３の外周の半径寸法Ｒより長い距離に設定されている。
そして、回転子５１は、本体３１の内部に納められ、開口部３２の中心軸と同軸上に回転自在に配設される。
【００２０】
導電接触片６１は、導通性のある材料、例えば、りん青銅などで形成される。導電接触片６１は略コの字形状をしており、一端側がピン接触面６２、他端側が端子部６６で形成されている。ピン接触面６２は、開口するスリット６３を備え、スリット６３の両端部にある接続部６５を介してピン受け部６４と電気的に接続されている。ピン接触面６２は平板状の形状であることから、寸法精度も出やすく、金型費も安い。
【００２１】
また、給電ピン２６と係合するピン受け部６４は平板面状となっているため、方向性がなく、左右が同じ導電接触片６１を使用することも出来る。導電接触片６１のスリット６３は、直管ＬＥＤランプ２０を回転させたときに、給電ピン２６の抜け止め部２８が通過する設定となっている。そして、給電ピン２６の軸部２７がピン受け部６４に接触することで直管ＬＥＤランプ２０に通電する。また、端子部６６は図示しない点灯装置からの出力電線が接続され、電力が給電される。
【００２２】
図７は、直管ＬＥＤランプ２０と回転子５１と導電接触片６１の接続状態を示した図であり、図７（ａ）は、ランプ挿入位置（０°）、図７（ｂ）は、ランプ回転直後の位置（２０°）、図７（ｃ）は、ランプを４５°回転させた位置、図７（ｄ）は、ランプ通電位置（９０°）をそれぞれ示した図である。図７（ａ）〜（ｄ）を用いて直管ＬＥＤランプ２０が接続されるまでの状態を説明する。
【００２３】
図７（ａ）のランプ挿入位置で回転子５１のピン挿入部５４に直管ＬＥＤランプ２０の給電ピン２６が挿入されたとき、ピン挿入部５４の長手方向と直交する円筒部５３の外周に形成された第２平面部５５ｂ、５５ｂ’と、平板面状のピン受け部６４は平行に配設されている。回転子５１の第２平面部５５ｂ、５５ｂ’と導電接触片６１のピン受け部６４の隙間が少なければ少ないほど、回転子５１のガタツキが無くなり、第二ソケット３０のピン挿入孔３３と回転子５１のピン挿入部５４が連なることで、直管ＬＥＤランプ２０の給電ピン２６を挿入しやすくなる。
【００２４】
次に、図７（ｂ）のように直管ＬＥＤランプ２０を回転させた直後、回転子５１の第２平面部５５ｂの一方の端部５６ｂがピン受け部６４を弾性変形させながら回転するため、回転トルクが強くなる。このピン受け部６４の弾性変形量が最大量に達する前に、直管ＬＥＤランプ２０を回転させる力を無くすと、ピン受け部６４には、弾性変形した変形分を元の直線状態に戻す力が働き、第２平面部５５ｂの端部５６ｂが押し戻されて回転子５１が逆回転し図７（ａ）の状態に戻る。つまり、回転子５１が中途半端な回転位置にあるときに直管ＬＥＤランプ２０を保持することが無くなり、安全性に優れたソケットを得ることができる。
【００２５】
その後、図７（ｃ）のように第２平面部５５ｂの端部５６ｂがピン受け部６４と接触する位置を超えるところまで直管ＬＥＤランプ２０が回転すると、ピン受け部６４を弾性変形させる力が無くなり、回転トルクは弱くなる。また、この状態で給電ピン２６の抜け止め部２８は導電接触片６１のスリット６３に挿入されているが、給電ピン２６の軸部２７は、ピン受け部６４と接触していないため、直管ＬＥＤランプ２０に通電されることはない。
【００２６】
次に、図７（ｄ）のように直管ＬＥＤランプ２０を通電位置まで回転させるが、ピン挿入部５４周囲の第１平面部５５ａの回転子５１における外周上の端部５６ａがピン受け部６４を弾性変形させながら回転するため、回転トルクが強くなる。そして、直管ＬＥＤランプ２０が通電位置に回転したところで、第１平面部５５ａ、５５ａ’がピン受け部６４と平行になり弾性変形させる力が無くなるため、適度な装着感を得ることができる。また、第１平面部５５ａの端部５６ａがピン受け部６４を最大変形させる位置を超えて回転すると、ピン受け部６４に弾性変形した変形分を元の直線状態に戻す力が働き、直管ＬＥＤランプ２０の回転動作を補助する。
【００２７】
実施の形態２．
図８は、実施の形態２に係る回転子５１の斜視図である。図９は、実施の形態２に係る第二ソケット３０の上面図である。図８、図９を用いて実施の形態２を説明する。
【００２８】
回転子５１は、ピン挿入部５４の長手方向と直交する円筒部５３の外周に形成された第２平面部５５ｂ、５５ｂ’において、第２平面部５５ｂ、５５ｂ’の表面に凹部５７を形成し、凹部５７内に第２平面部５５ｂ、５５ｂ’の表面側に突設した矢印状の突設部５８を備えている。突設部５８は、第２平面部５５ｂ、５５ｂ’の表面から突出しない高さにすることで、直管ＬＥＤランプ２０の回転動作や装着感に影響を与えないように構成されている。
【００２９】
直管ＬＥＤランプ２０が通電位置まで回転したとき、第２平面部５５ｂ、５５ｂ’は第二ソケット３０のピン挿入孔３３と同一直線上にあり、ピン挿入孔３３から突設部５８を視認することができる。つまり、直管ＬＥＤランプ２０が通電位置にあることの確認ができ、直管ＬＥＤランプ２０の通電を確実に行うことができる。
【００３０】
以上により、ランプの装着感がよく、確実にランプを取り付けることができ、且つ安価にできるソケット、及び、そのソケットを備えた照明器具を提供することができる。
【符号の説明】
【００３１】
１０  照明器具、１１  器具本体、１２  反射板、２０  直管ＬＥＤランプ、２１  第一口金、２２  第二口金、２３  外郭、２５  凸部、２６  給電ピン、２７  軸部、２８  抜け止め部、３０  第二ソケット、３１  本体、３２  開口部、３３  ピン挿入孔、４１  カバー、５１  回転子、５２  当接部、５３  円筒部、５４  ピン挿入部、５４ａ  周縁部、５５ａ、５５ａ’  第１平面部、５５ｂ、５５ｂ’  第２平面部、５６ａ、５６ａ’、５６ｂ、５６ｂ’  端部、５７  凹部、５８  突設部、６１  導電接触片、６２  ピン接触面、６３  スリット、６４  ピン受け部、６５  接続部、６６  端子部、７０  第一ソケット。
【図１】
2015011892.tif 000003
【図２】
2015011892.tif 000004
【図３】
2015011892.tif 000005
【図４】
2015011892.tif 000006
【図５】
2015011892.tif 000007
【図６】
2015011892.tif 000008
【図７】
2015011892.tif 000009
【図８】
2015011892.tif 000010
【図９】
2015011892.tif 000011